(57)【要約】      （修正有）【課題】単純な構造であって、かつ特殊な設備を用いる必要がなく、しかも河川中や海中でも使用可能である新規な付着物除去装置を提供する。【解決手段】付着物吸入管とエアーダスター３とを備える付着物除去装置１であって、付着物吸入管は、付着物を吸入するための吸入口２ａと、吸入口に連通して吸入した付着物を排出するための排出口２ｂとともに、吸入口と排出口との連通部２ｃ内にエアー噴出ノズル４とを有し、エアーダスターは、ノズル本体５と、エアー供給用ホース６を接続する握り部７と、エアー供給トリガー８とを有し、付着物吸入管のエアー噴出ノズルとエアーダスターのノズル本体とは付着物吸入管の壁部２ｄを貫通する管路９により連結されており、エアー噴出ノズルからのエアーが排出口に向けて噴出されることで、負圧によって付着物を吸引し排出する。【選択図】図１
0003201711.tif 000002
【実用新案登録請求の範囲】
【請求項１】
付着物吸入管とエアーダスターとを備える付着物除去装置であって、
前記付着物吸入管は、付着物を吸入するための吸入口と、吸入口に連通して吸入した付着物を排出するための排出口とともに、前記吸入口と前記排出口との連通部内にエアー噴出ノズルとを有し、
前記エアーダスターは、ノズル本体と、エアー供給用ホースを接続する握り部と、エアー供給トリガーとを有し、
前記付着物吸入管のエアー噴出ノズルと前記エアーダスターのノズル本体とは前記付着物吸入管の壁部を貫通する管路により連結されており、前記エアー噴出ノズルからのエアーが前記排出口に向けて噴出されることで、負圧によって付着物を吸引し排出することを特徴とする付着物除去装置。
【請求項２】
前記付着物吸入管において、前記付着物吸入管のエアー噴出ノズルのエアー噴出口が位置する部位の断面積が他の部位の断面積よりも大きいことを特徴とする請求項１に記載の付着物除去装置。
【請求項３】
前記付着物吸入管が鋼管からなることを特徴とする請求項１または２に記載の付着物除去装置。
【請求項４】
前記エアー噴出ノズルが、前記付着物吸入管の壁部に溶接固定されていることを特徴とする請求項１から３のいずれか一項に記載の付着物除去装置。
【考案の詳細な説明】
【技術分野】
【０００１】
本考案は、定置網、底引き網等の漁網や魚介類の養殖用ネット、さらには各種の海洋構造体、船舶壁面等に付着した水棲生物、海洋生物やごみ等の付着物を除去するための新規な付着物除去装置に関するものである。
【背景技術】
【０００２】
従来より、定置網、底引き網等の漁網や魚介類の養殖用ネットは、一定期間河川中や海中に沈めて使用されるため、コンブ等の藻類、フジツボ等の甲殻類やイガイ等の貝類等の水棲生物や海洋生物が付着することにより、漁網の重量が増大してとり回ししにくくなるという問題があった。また、これらの水棲生物や海洋生物によって、漁網の網目が塞がれるために、漁網の周囲の明度が低下して魚が漁網を避け、漁獲量が低下するという問題もあった。
【０００３】
さらに、２０１１年３月１１日の東日本大震災によって引き起こされた巨大津波では、多くの家屋や建造物、自動車等が波にさらわれたことから、三陸地方においても海底に大量のがれき、ごみが堆積している海域が少なからず生じることとなった。このような海域において漁網を海中に投入し、操業すると、上記の水棲生物や海洋生物と同様に、ごみが漁網の網目を塞いで漁獲量を低下させることに加えて、漁網の破損を引き起こすおそれがあるため、これらのごみについても可及的速やかに漁網より除去することが望ましい。
【０００４】
このような漁網への付着物の除去方法としては、従来より、陸に揚げた漁網を広げて乾燥させ、網目を塞ぐ藻類やフジツボ、イガイなどの水棲生物や海洋生物を手作業で除去することが行われてきた。しかしながら、このような手作業では、大型の漁網の場合、付着物除去作業に２〜３ヶ月程度の時間を要し、しかも、乾燥中に、水棲生物や海洋生物が腐敗して悪臭を放つなどの問題があった。
【０００５】
そこで、これまでにも上記の水棲生物や海洋生物、ごみ等の付着物を漁網から除去するための装置については様々な工夫、改善が試みられている。
【０００６】
例えば、付着物のついた漁網を吊持状態にして、ポンプを用いて圧送した洗浄水を、漁網に向けて噴出して付着物を剥離させて、洗浄水とともに漁網の後方に付着物を押し流して除去することができる漁網の洗浄装置が提案されている（特許文献１参照）。この特許文献１に記載された漁網の洗浄装置では、機体に搭載された大型ポンプに接続された移送ホースにより大容量ポンプから離れた位置に洗浄水を圧送し、移送ホースの先端の噴出ノズルから吊持状態の漁網に向けて加圧状態の洗浄水を噴出する。また、特許文献１に記載された漁網の洗浄装置では、移送ホースと噴出ノズルとの間に、噴出ノズルを支持して噴出ノズルから洗浄水を噴出させた際の反動による噴出ノズルの姿勢変化を抑制するスタンドが配されている。
【０００７】
このため、特許文献１に記載された漁網の洗浄装置では、船舶に装備しているクレーンなどの動力機械を用いて、重量が１０ｔ程度の定置網のような大型の漁網を海上に吊時状態にして、加圧状態の洗浄水を噴出することにより、船体のバランスを崩すことなく、しかも甲板のような狭い場所を作業場所としてわずか数時間で漁網を洗浄し、付着物を船外の海上に押し流すことができるとされている。
【先行技術文献】
【特許文献】
【０００８】
【特許文献１】特開平８−４７６７５号公報
【考案の概要】
【考案が解決しようとする課題】
【０００９】
しかしながら、特許文献１に記載された漁網の洗浄装置では、上記のとおり加圧状態の洗浄水が噴出するため、洗浄水の移送ホースとその先端に供えられた噴出ノズルを支持し、洗浄水の噴出の反動を抑制しなければならないという問題があった。また、大型の漁網を吊持状態にするためには、クレーン等の動力機械が必要であり、動力機械を装備していない小型の漁船においては、従前同様に漁網を陸揚げしてから重機などを用いて漁網を吊上状態にして、加圧状態の洗浄水を噴出しなければならず、動力機械の設備を欠くことができないという問題があった。
【００１０】
本考案は以上のとおりの事情に鑑みてなされたものであり、単純な構造であって、かつ特殊な設備を用いる必要がなく、しかも河川中や海中でも使用可能である新規な付着物除去装置を提供することを課題としている。
【課題を解決するための手段】
【００１１】
上記の課題を解決するために、本考案は、以下のとおりの付着物除去装置を提供する。
（１）付着物吸入管とエアーダスターとを備える付着物除去装置であって、前記付着物吸入管は、付着物を吸入するための吸入口と、吸入口に連通して吸入した付着物を排出するための排出口とともに、前記吸入口と前記排出口との連通部内にエアー噴出ノズルとを有し、前記エアーダスターは、ノズル本体と、エアー供給用ホースを接続する握り部と、エアー供給トリガーとを有し、前記付着物吸入管のエアー噴出ノズルと前記エアーダスターのノズル本体とは前記付着物吸入管の壁部を貫通する管路により連結されており、前記エアー噴出ノズルからのエアーが前記排出口に向けて噴出されることで、負圧によって付着物を吸引し排出することを特徴としている。
（２）前記付着物吸入管において、前記付着物吸入管のエアー噴出ノズルのエアー噴出口が位置する部位の断面積が他の部位の断面積よりも大きいことが好ましい。
（３）前記付着物吸入管が鋼管からなることが好ましい。
（４）前記エアー噴出ノズルが、前記付着物吸入管の壁部に溶接固定されていることが好ましい。
【考案の効果】
【００１２】
本考案の付着物除去装置は、単純な構造であって、かつ特殊な設備を用いる必要がなく、しかも河川中や海中でも使用可能である。
【図面の簡単な説明】
【００１３】
【図１】本考案の付着物除去装置の斜視図である。
【図２】図１のＡ−Ａ’断面図である。
【考案を実施するための形態】
【００１４】
以下に本考案の付着物除去装置について図面に基づいて詳細に説明する。
【００１５】
図１は、本考案の付着物除去装置である。図２は、図１のＡ−Ａ’断面図である。
【００１６】
本考案の付着物除去装置１は、図１に示すように、付着物吸入管２とエアーダスター３とを備える付着物除去装置１であって、付着物吸入管２は、付着物を吸入するための吸入口２ａと、吸入口２ａに連通して吸入した付着物を排出するための排出口２ｂとともに、吸入口２ａと排出口２ｂとの連通部２ｃ内にエアー噴出ノズル４とを有している。エアーダスター３は、ノズル本体５と、エアー供給用ホース６を接続する握り部７と、エアー供給トリガー８とを有し、エアー噴出ノズル４とノズル本体５とは付着物吸入管２壁部２ｄを貫通する管路９により連結されている。そして、エアー噴出ノズル４からのエアーが排出口２ｂに向けて噴出されることで、負圧によって付着物を吸引し排出することを特徴としている。
【００１７】
付着物吸入管２は、上記のとおり、管材の一方の端部が付着物を吸入するための吸入口２ａとされ、前記管材のもう一方の端部が吸入口２ａに連通して吸入した付着物を排出するための排出口２ｂとされる。また、付着物吸入管２では、吸入口２ａと排出口２ｂとの連通部２ｃ内に付着物吸入管２の壁部２ｄを貫通するようにエアー噴出ノズル４が設けられている。そして、図２に示すように、エアーが排出口２ｂに向けて噴出されるように、エアー噴出ノズル４の先端部にエアー噴出口４ａが配置されている。エアー噴出ノズル４は、より大きな負圧を生じさせる観点から、先端部に向かうに連れて断面積が増大するような形状であることが好ましい。
【００１８】
このような付着物吸入管２は、鋼管からなることが好ましい。鋼管の厚みや孔径、およびその断面形状等は適宜に選択することが可能である。本考案の付着物除去装置は、河川中や海中で使用することを前提としているため、あらかじめ鋼管に防錆用のめっき処理を施してあることが好ましい。
【００１９】
また、付着物吸入管２においては、エアー噴出ノズル４の固定方法は固定強度が十分であって、かつ噴出するエアーが固定部分から漏出されない限り特に制限されないが、上記の条件を踏まえれば、付着物吸入管２の壁部２ｄに溶接固定されていることが好ましい。図１および２においては、溶接部９ａにおいて溶接固定されている。
【００２０】
エアーダスター３としては、周知のエアーダスターを適用することができる。すなわち、エアーダスター３は、握り部７を有するノズル本体５にエアー供給トリガー８を設け、ノズル本体５の基端部５ａに設けたホース取付金具１０にエアー供給用ホース６を接続し、ノズル本体５の先端部５ｂに付着物吸入管２の壁部２ｄを貫通する管路９を着脱自在に取り付けてなるもので、作業者がノズル本体５を把持してエアー供給用トリガー８を引くことにより、管路９を通してエアー噴出ノズル４の先端部に開口するエアー噴出口４ａからエアーを噴出するようになっている。
【００２１】
エアー供給用ホース６の一方の先端部は、図中に示さないエアーコンプレッサーに接続されている。エアー供給用トリガー８は、通常はバネによりノズル本体５と一定距離を保っているが、バネに抗してエアー供給用トリガー８を引いて、ノズル本体５側に近づけると、ノズル本体５内部のエアー通路に設けてある開閉弁が開いて、エアー噴出ノズル４の先端部に開口するエアー噴出口４ａからエアーが噴出され、エアー供給用トリガー８から手指を放すと、エアー供給用トリガー８はバネの弾性力によって元の位置に戻って、開閉弁を閉じるようになっている。なお、エアー供給用トリガー８をノズル本体５に近づけるにしたがって、開閉弁の開度が大きくなり、エアーの噴出量が大きくなる。
【００２２】
このようなエアーダスター３を備える本考案の付着物除去装置を河川中や海中にて使用すると、エアーダスター３から供給されたエアーは、管路９を通じて付着物吸入管２内に開口するエアー噴出口４ａから噴出され、付着物吸入管２の連通部２ｃ内を満たしている河川水や海水をエアーによって排出口２ｂより排出するとともに、噴出されたエアーが形成する気泡によって付着物吸入管２の連通部２ｃ内に空隙が生じることで、負圧を生じさせ、水棲生物や海洋生物、ごみ等の付着物を吸引し、排出することが可能となる。
【００２３】
すなわち、本考案の付着物除去装置は、単に、付着物吸入管の開口部２ａ側から排出口２ｂ方向に向かう水流を生じさせるだけではなく、気泡によって生じる負圧を利用して水棲生物や海洋生物、ごみ等の付着物を吸引する点において、これまでにない新規な付着物除去装置を実現できる。
【００２４】
また、本考案の付着物除去装置では、付着物吸入管２の排出口２ｂ側に袋状のネット等をあらかじめ取り付けておくことによって、排出された水棲生物や海洋生物、ごみ等の付着物を回収し、これらの付着物が漁網や魚介類の養殖用ネット、さらには各種の海洋構造体、船舶壁面等に再付着することを抑制することができる。
【００２５】
さらに、本考案の付着物除去装置では、加圧されたエアーを噴出させるため、漁網用の海洋生物付着防止剤として古くから用いられている有機スズ系化合物等の毒性の高い薬剤を使用する必要がなく、環境負荷が小さい点においても優れている。
【００２６】
エアーダスター４のノズル本体５の材質は、樹脂成形品であってもよいし、金属加工品であってもよいが、ノズル本体５の剛性が高ければ高いほど、高圧のエアーを供給して付着物の吸引力を増大させることができるため、金属加工品を用いることが好ましい。
【００２７】
エアーコンプレッサーによる供給するエアーとしては、例えば、０．２ＭＰａ以上３．０Ｍｐａ以下の範囲において加圧したものであることが好ましく例示される。
【００２８】
このようなエアーコンプレッサーとしては、例えば、模型塗装用に用いられている小型のものから、工事現場等で使用されている大型のものまで様々な形状、大きさのエアーコンプレッサーが例示される。本考案の付着物除去装置は河川中や海中で使用可能であるため、陸上もしくは船上に大型のエアーコンプレッサーを設置して、エアー供給ホース６を延長して使用することが好ましい。
【００２９】
本考案の付着物除去装置１では、付着物吸入管２において、エアー噴出ノズル４のエアー噴出口４ａが位置する部位の断面積が他の部位の断面積より大きいことが好ましい。すなわち、エアー噴出口４ａの近傍における付着物吸入管２の断面積が付着物吸入管２の中で最も断面積が大きく、その下流側で断面積が減少していることにより、付着物吸入管２がベンチュリー管として機能し、断面積が減少した部分において海水の流速が増大し、より効率的に水棲生物や海洋生物、ごみ等の付着物を吸引し、排出することが可能となる。
【００３０】
本考案の付着物除去装置では、管路９の形状は、特に制限されることはなく、例えば、図１に示したように略Ｕ字状であってもよいし、略Ｌ字状、直線状等様々な形状であってもよい。
【００３１】
本考案の付着物除去装置は、漁業用途に限らず、例えば、近年大量発生しているエチゼンクラゲ等の駆除、造船場での船底の洗浄や沿岸部に立地する発電所の海水取水口の清掃、海上および海中構造物のメンテナンス等様々な分野に適用可能である。
【００３２】
本考案の付着物除去装置は、上記の実施形態によって何ら限定されるものでない。付着物吸入管の断面形状や、付着物吸入管とエアー噴出ノズルとの接合固定構造等の構成の細部は様々に可能である。
【符号の説明】
【００３３】
１  付着物除去装置
２  付着物吸入管
２ａ  吸入口
２ｂ  排出口
２ｃ  連通部
２ｄ  壁部
３  エアーダスター
４  エアー噴出ノズル
４ａ  エアー噴出口
５  ノズル本体
６  エアー供給用ホース
７  握り部
８  エアー供給用トリガー
９  管路
【図１】
0003201711.tif 000003
【図２】
0003201711.tif 000004